(57)【要約】  【課題】組立て時に、内輪２の外周軌道面２ａに、間座型保持器５を挟んで環状に配列した複数の円すいころ４を内輪２に対して拘束した状態で、外輪１に組み込むことができるようにし、しかも、組立ての際に、間座型保持器５と円すいころ４を内輪２に対して拘束する環状体６が自動的に取り除かれるようにする。  【解決手段】内輪２の外周軌道面２ａに、間座型保持器５を挟んで環状に配列した複数の円すいころ４の大径側端部外周に、切割り部６ｂによって拡径可能な環状体６を装着して円すいころ４と間座保持器５を内輪２に対して拘束した内輪組立体を組立てた後、内輪組立体を外輪３の軸方向に組み込み、外輪３の大径側端面で環状体６を円すいころ４の大径側端部外周から押し出して環状体６を取り除くようにした。【選択図】図８
2017166614.tif 000002
【特許請求の範囲】
【請求項１】
切割り部によって拡径可能な環状体からなり、内輪の外周軌道面に間座型保持器を挟んで環状に配列した複数の円すいころの大径側端部外周に装着することにより、円すいころと間座保持器を内輪に対して拘束することができ、内輪に対して拘束した円すいころと間座保持器の外周に、外輪を内輪と同芯状態に配置する過程で、外輪によって押されて切割り部が拡径し、円すいころの大径側端部外周から取り除かれることを特徴とする円すいころ軸受の組立て用治具。
【請求項２】
前記環状体の切割り部が、互いに重なる段違い形状に形成されている請求項１記載の円すいころ軸受の組立て用治具。
【請求項３】
前記段違い形状が、径方向又は軸方向に重なるように設けられている請求項２記載の円すいころ軸受の組立て用治具。
【請求項４】
前記重なり面に、互いに係合する引っ掛かり爪が設けられている請求項３に記載の円すいころ軸受の組立て用治具。
【請求項５】
環状体の切割り部が弾性体によって連結されている請求項１記載の円すいころ軸受の組立て用治具。
【請求項６】
前記環状体が、樹脂又は金属製である請求項１〜５のいずれかに記載の円すいころ軸受の組立て用治具。
【請求項７】
内輪と、その外周に同芯状態の配置される外輪と、これらの内輪及び外輪との間に、間座型保持器を挟んで環状に配列される複数の円すいころとからなる円すいころ軸受の組立て方法において、前記内輪の外周軌道面に、間座型保持器を挟んで環状に配列した複数の円すいころの大径側端部外周に、切割り部によって拡径可能な環状体を装着して円すいころと間座保持器を内輪に対して拘束した内輪組立体を組立てた後、内輪組立体を外輪へ組み込み、前記内輪組立体を外輪に組み込む際に、外輪の大径側端面で環状体を円すいころの大径側端部外周から押し出して環状体を取り除くことを特徴とする円すいころ軸受の組立て方法。
【請求項８】
前記環状体の拡径時の外径寸法が、軸受外径よりも小さい請求項７記載の円すいころ軸受の組立て方法。
【発明の詳細な説明】
【技術分野】
【０００１】
この発明は、内輪及び外輪の間に、間座型保持器を挟んで複数の円すいころを環状に配列した円すいころ軸受の組立てに使用する組立て用治具と、その組立て方法に関するものである。
【背景技術】
【０００２】
円すいころ軸受の保持器として、一体型のプレス成形品がある。
【０００３】
一体型のプレス成形品からなる保持器は、その製作時にプレス用の金型が必要となり、また軸受組立時には、組立用の金型を使用して、円すいころの組み込みのための底広げ工程及び円すいころ組み込み後のカシメ工程を行う必要がある。
【０００４】
一方、円すいころ軸受の保持器として、間座型保持器があり、間座型保持器は、円すいころと円すいころの間に分離した状態で挟むように配置される（特許文献１）。
【０００５】
この間座型保持器は、一体型のプレス成形品からなる保持器に比べて、保持器製作時の金型サイズが小さくて済むと共に、組込み時に底広げ工程やカシメ工程が不要であるという利点がある。
【先行技術文献】
【特許文献】
【０００６】
【特許文献１】特開２００７−６４４３７号公報
【発明の概要】
【発明が解決しようとする課題】
【０００７】
ところが、間座型保持器は、互いに分離しているため、内輪の外周軌道面に、間座型保持器を挟んで環状に複数の円すいころを配列した内輪組立体を、外輪に組み込む際に、円すいころと間座保持器が内輪に対してばらけてしまう。
【０００８】
このため、円すいころ軸受を組立てる際に、内輪から間座型保持器がばらけないように、特許文献１では、間座型保持器に突出部を設け、この突出部上に環状の組み込み用側輪を嵌めて、環状に配列した間座型保持器を内輪に対して拘束している。
【０００９】
この組立の際に使用する組み込み用側輪は、組立て後も円すいころ軸受と一体で取り扱われるので、円すいころ軸受の質量増加の原因になる。
【００１０】
そこで、この発明は、内輪と、その外周に同芯状態の配置される外輪と、これらの内輪及び外輪との間に、間座型保持器を挟んで環状に配列される複数の円すいころとからなる円すいころ軸受の組立て時に、内輪の外周軌道面に、間座型保持器を挟んで環状に配列した複数の円すいころを内輪に対して拘束にすることができ、組立て後に自動的に取り除かれて、円すいころ軸受の質量増加を抑制することができる円すいころ軸受の組立て用治具を提供することを課題とする。
【課題を解決するための手段】
【００１１】
前記の課題を解決するために、この発明に係る円すいころ軸受の組立て用治具は、切割り部によって拡径可能な環状体からなり、内輪の外周軌道面に間座型保持器を挟んで環状に配列した複数の円すいころの大径側端部外周に装着することにより、円すいころと間座保持器を内輪に対して拘束することができ、内輪に対して拘束した円すいころと間座保持器の外周に、外輪を内輪と同芯状態に配置する過程で、外輪によって押されて切割り部が拡径し、円すいころの大径側端部外周から取り除かれることを特徴とする。
【００１２】
前記環状体の切割り部は、互いに重なる段違い形状に形成することができる。
【００１３】
前記段違い形状は、径方向又は軸方向に重なるように設けることができる。
【００１４】
前記切割り部の軸方向の重なり面に、互いに引っ掛かる引っ掛かり爪を設けるようにしてもよい。
【００１５】
前記環状体の切割り部を弾性体によって連結するようにしてもよい。
【００１６】
前記環状体は、樹脂又は金属によって形成することができる。
【００１７】
この発明に係る円すいころ軸受の組立て用治具を使用した円すいころ軸受の組立て方法は、次の通りである。
即ち、内輪と、その外周に同芯状態の配置される外輪と、これらの内輪及び外輪との間に、間座型保持器を挟んで環状に配列される複数の円すいころとからなる円すいころ軸受の組立て方法において、前記内輪の外周軌道面に、間座型保持器を挟んで環状に配列した複数の円すいころの大径側端部外周に、切割り部によって拡径可能な環状体を装着して円すいころと間座保持器を内輪に対して拘束した内輪組立体を組立てた後、内輪組立体を外輪の軸方向に組み込み、この軸方向の組み込みの際に、外輪の大径側端面で環状体を円すいころの大径側端部外周から押し出して環状治具を取り除くようにしたものである。
【００１８】
前記環状体の拡径時の外径寸法は、軸受外径よりも小さく設定される。
【発明の効果】
【００１９】
この発明によれば、内輪の外周軌道面に、間座型保持器を挟んで環状に配列した複数の円すいころの大径側端部外周に、切割り部によって拡径可能な環状体を装着して円すいころと間座保持器を内輪に対して拘束した内輪組立体を組立てた後、内輪組立体を外輪の軸方向に組み込み、この軸方向の組み込みの際に、外輪の大径側端面で環状体を円すいころの大径側端部外周から押し出して環状治具が取り除くことができるので、円すいころ軸受の質量増加がない。また、外輪を組み込む際に、円すいころと間座保持器を内輪に対して拘束した内輪組立体の状態で行うことができるので、組み立てが容易である。
【図面の簡単な説明】
【００２０】
【図１】は、この発明の円すいころ軸受の部分断面図である。
【図２】内輪と、円すいころと、間座保持器の状態を示す分解斜視図である。
【図３】内輪の内輪軌道面に円すいころと間座保持器を環状に配列した内輪組立体を示す斜視図である。
【図４】環状体を取外した内輪組立体を示す斜視図である。
【図５】環状体を取付けた内輪組立体を示す斜視図である。
【図６】環状体を取付けた内輪組立体の部分断面図である。
【図７】外輪に内輪組立体を組み込む状態を示す部分断面図である。
【図８】外輪に内輪組立体を組み込み、外輪によって環状体を押し出す状態を示す部分断面図である。
【図９】他の実施形態に係る環状体を取外した内輪組立体を示す斜視図である。
【図１０】図９の実施形態に係る環状体を取付けた内輪組立体を示す斜視図である。
【図１１】他の実施形態に係る環状体を取外した内輪組立体を示す斜視図である。
【図１２】図１１の実施形態に係る環状体を取付けた内輪組立体を示す斜視図である。
【図１３】外輪に図１２の内輪組立体を組み込む状態を示す部分断面図である。
【図１４】外輪に図１２の内輪組立体を組み込み、外輪によって環状体を押し出す状態を示す部分断面図である。
【図１５】（ａ）は図１１の実施形態に係る環状体の切割り部を示す部分平面図、（ｂ）は切割り部の引っ掛かり爪のロックを解除した状態を示す部分平面図である。
【図１６】他の実施形態に係る環状体を取外した内輪組立体を示す斜視図である。
【図１７】図１６の実施形態に係る環状体を取付けた内輪組立体を示す斜視図である。
【発明を実施するための形態】
【００２１】
以下、この発明の実施形態を添付図面に基づいて説明する。
【００２２】
円すいころ軸受１は、外周面に内輪軌道面２ａを有する内輪２と、内輪２の外周に同芯状態の配置される、内周面に外輪軌道面３ａを有する外輪３と、これらの内輪２及び外輪３との間に、間座型保持器５を挟んで環状に配列される複数の円すいころ４とからなる。
【００２３】
内輪２の内輪軌道面２ａには、小径側に小つば部２ｂが形成され、大径側に大つば部２ｃが形成されている。
【００２４】
間座型保持器５は、両側面に円すいころ４の案内面が形成された柱部５ａと、柱部５ａの一端に形成され、円すいころ４の小径側端面を案内する小径側突出部５ｂと、柱部５ａの他端に形成され、円すいころ４の大径側端面を案内する大径側突出部５ｃとからなる全体的にＩの字形状をなしており、その材質は樹脂又は炭素鋼である。
【００２５】
円すいころ４と間座型保持器５は、図２及び図３に示すように、内輪２の内輪軌道面２ａに交互に配列され、間座型保持器５同士は、円すいころ４を挟んで分離しており、円すいころ４と間座型保持器５を内輪２の内輪軌道面２ａに配列しただけでは、円すいころ４と間座型保持器５が内輪２からばらける。
【００２６】
円すいころ軸受１を組立てるには、まず、図３に示すように、内輪２の内輪軌道面２ａに、円すいころ４と間座型保持器５を配列した後、内輪２から円すいころ４と間座型保持器５がばらけないように、図４〜図６に示すように、円すいころ４の大径側端部外周に環状体６を装着して、円すいころ４と間座型保持器５を内輪２に対して拘束した内輪組立体を形成する。
【００２７】
環状体６は、間座型保持器５を挟んで環状に配列した複数の円すいころ４の大径側端部外周に嵌めて円すいころ４と間座型保持器５を内輪２に対して拘束するものであり、内周面に円すいころ４の大径側端部外周が嵌る環状溝６ａを有する。
【００２８】
環状体６は、樹脂又は金属製であり、切割り部６ｂによって周方向に分断されて拡径可能に構成されている。
【００２９】
図４及び図５に示す実施形態の切割り部６ｂは、径方向に互いに重なる段違い形状に形成されている。
【００３０】
次に、上記のようにして組立てた内輪組立体を、図７に示すように、外輪３の内周に嵌め入れて円すいころ軸受１を組立てる。
【００３１】
外輪３の内周に内輪組立体を挿入していくと、図８の白抜き矢印で示すように、外輪３の大径側端面で環状体６が押されて、環状体６が径方向に広がり、円すいころ４の大径側端部外周から自動的に外れて、図１に示すような、円すいころ軸受１が完成する。
【００３２】
環状体６の外径ｄ１は、外輪３の大径側端面で押され、円すいころ４の大径側端部外周から外れる際に、図７に示す状態から図８に示す状態に拡径する。
【００３３】
環状体６の外径ｄ１は、拡径状態で外輪３を組み込む際に、外輪３の外径ｄ２よりも大きくならないように、小さくしている
【００３４】
次に、図９及び図１０は、環状体６の切割り部６ｂの別の実施形態を示している。
【００３５】
図９及び図１０に示す環状体６の切割り部６ｂは、軸方向に２分割され、２分割された切割り部６ｂが、径方向にずれた位置にある。
【００３６】
また、図１１及び図１２は、環状体６の切割り部６ｂが軸方向に重なる別の実施形態である。この実施形態は、切割り部６ｂの軸方向の重なり面に、引っ掛かり爪６ｃが形成されている。
【００３７】
この図１１及び図１２に示す実施形態は、軸方向に引っ掛かり爪６ｃを形成しているので、図１３に示すように、外輪３を押し込んで、環状体６を拡径して取り外す際に、引っ掛かり爪６ｃの引っ掛かりを外す必要がある。
【００３８】
例えば、引っ掛かり爪６ｃの係り代が、図１５（ａ）に示すように、外輪３を押し込む前の状態で、Ａであると、外輪３を押し込んで、引っ掛かり爪６ｃの引っ掛かりを外すには、図１５（ｂ）に示すように、切割り部６ｂの一方を、Ｂだけ軸方向にずらす必要がある。
【００３９】
切割り部６ｂの一方を軸方向にずらすために、図１１及び図１２に示す実施形態では、環状体６の切割り部６ｂの外輪３側の側面に、ロック解除用の突起６ｄを設け、この突起６ｄが外輪３で押されて、図１５（ｂ）に示すように、引っ掛かり爪６ｃの引っ掛かりが外れるようにしている。
【００４０】
次に、図１６及び図１７に示す実施形態は、環状体６の切割り部６ｂを、ゴム等の弾性体６ｅによって連結したものである。
【００４１】
なお、環状体６の切割り部６ｂの形状は、以上の実施形態に限定されるものではなく、Ｖ字形状など他の形状でもよい。
【符号の説明】
【００４２】
１        ：円すいころ軸受
２        ：内輪
２ａ      ：内輪軌道面
２ｂ      ：小つば部
２ｃ      ：大つば部
３        ：外輪
３ａ      ：外輪軌道面
４        ：円すいころ
５        ：間座型保持器
５ａ      ：柱部
５ｂ      ：小径側突出部
５ｃ      ：大径側突出部
６        ：環状体
６ａ      ：環状溝
６ｂ      ：切割り部
６ｃ      ：引っ掛かり爪
６ｄ      ：突起
６ｅ      ：弾性体
【図１】
2017166614.tif 000003
【図２】
2017166614.tif 000004
【図３】
2017166614.tif 000005
【図４】
2017166614.tif 000006
【図５】
2017166614.tif 000007
【図６】
2017166614.tif 000008
【図７】
2017166614.tif 000009
【図８】
2017166614.tif 000010
【図９】
2017166614.tif 000011
【図１０】
2017166614.tif 000012
【図１１】
2017166614.tif 000013
【図１２】
2017166614.tif 000014
【図１３】
2017166614.tif 000015
【図１４】
2017166614.tif 000016
【図１５】
2017166614.tif 000017
【図１６】
2017166614.tif 000018
【図１７】
2017166614.tif 000019